(57)【要約】【課題】  プロジェクタ部においてクールダウン処理が完了するまでの間、ＤＶＤ再生部においてスタンバイ状態に遷移しないようにする。【解決手段】  電源オフ時においては、プロジェクタ部１２０で、状態をクールダウン状態に遷移させ、クールダウン処理を実行し、ＤＶＤ再生部１１０で、液晶表示パネル１１４に「ＮＯＷ  ＣＯＯＬＩＮＧ」という文字を表示させる。プロジェクタ部１２０で、クールダウン処理が完了すると、状態をクールダウン状態からスタンバイ待機状態に遷移させる。ＤＶＤ再生部１１０で、プロジェクタ部１２０のクールダウン処理が完了したことを知ると、液晶表示パネル１１４に「ＳＥＥ  ＹＯＵ」という文字を表示させる。待機時間として１秒間を計測した後、状態をスタンバイ状態に遷移させると共に、液晶表示パネル１１４における表示を消す。【選択図】  図３
2007047387.tif 000002
【特許請求の範囲】
【請求項１】
画像を拡大投写することが可能なプロジェクタ部と、メディアに記録された信号を再生することが可能なメディア再生部と、を備えるプロジェクタであって、
電源オフの指示が入力された場合、前記プロジェクタ部は、クールダウン処理を実行し、前記メディア再生部は、前記プロジェクタ部から前記クールダウン処理の完了の情報を取得した後に、スタンバイ状態に遷移することを特徴とするプロジェクタ。
【請求項２】
請求項１に記載のプロジェクタにおいて、
前記プロジェクタ部は、クールダウン処理を完了したら、スタンバイ待機状態に遷移し、前記クールダウン処理の完了の情報を前記メディア再生部に伝えた後、所定時間経過したら、スタンバイ状態に遷移すると共に、
前記メディア再生部は、前記クールダウン処理の完了の情報を取得した後、前記所定時間経過したら、スタンバイ状態に遷移することを特徴とするプロジェクタ。
【請求項３】
請求項１または請求項２に記載のプロジェクタにおいて、
前記メディア再生部は、所定の情報を表示する表示パネルを備え、前記スタンバイ状態に遷移したら、前記表示パネルにおける表示を消すことを特徴とするプロジェクタ。
【請求項４】
請求項２または請求項３に記載のプロジェクタにおいて、
前記プロジェクタ部は、所定の情報を表示するインジケータを備え、前記スタンバイ状態に遷移したら、前記インジケータによる表示を消すことを特徴とするプロジェクタ。
【請求項５】
メディアに記録された信号を再生することが可能なメディア再生部と、画像を拡大投写することが可能なプロジェクタ部と、を備えるプロジェクタの制御方法であって、
（ａ）電源オフの指示が入力された場合、前記プロジェクタ部において、クールダウン処理を実行する工程と、
（ｂ）前記メディア再生部において、前記プロジェクタ部からの、前記クールダウン処理の完了の情報を取得した後に、スタンバイ状態に遷移する工程と、
を備えるプロジェクタの制御方法。
【発明の詳細な説明】
【技術分野】
【０００１】
本発明は、ＤＶＤ再生などのメディア再生機能を備えたプロジェクタに関するものである。
【背景技術】
【０００２】
一般に、ＤＶＤ再生機能を備えたプロジェクタは、画像投写機能を有するプロジェクタ部と、ＤＶＤ再生機能を有するＤＶＤ再生部と、に分けて構成されており、プロジェクタ部とＤＶＤ再生部とは、互いに独立して動作状態を管理している。
【０００３】
なお、ＤＶＤ再生機能を備えたプロジェクタとしては、例えば、下記の特許文献１に記載のものが知られている。
【０００４】
【特許文献１】特開２００５−９４４７５号公報
【発明の開示】
【発明が解決しようとする課題】
【０００５】
この種の従来のプロジェクタでは、例えば、プロジェクタの電源オフボタンが押下された場合、プロジェクタ部は、クールダウン状態に遷移して、光源ランプなどを冷却するためのクールダウン処理を開始し、クールダウン処理が完了した後に（約３０秒後に）、スタンバイ状態に遷移していた。このとき、プロジェクタ部では、スタンバイ状態に遷移するまでの間、プロジェクタの外面に備えたインジケータによって、クーリング中であることを表示し、その後、スタンバイ状態に遷移したら、インジケータの表示を消していた。一方、ＤＶＤ再生部は、上記電源オフボタンが押下された場合、メディア再生停止処理やシステムコントローラ終了処理などが完了した後に（約５秒後に）、スタンバイ状態に遷移していた。このとき、ＤＶＤ再生部では、スタンバイ状態に遷移するまでの間、プロジェクタの外面に設けられた液晶表示パネルに「ＳＥＥ  ＹＯＵ」という文字を表示し、その後、スタンバイ状態に遷移したら、液晶表示パネルにおける「ＳＥＥ  ＹＯＵ」の表示を消していた。
【０００６】
このように、従来においては、電源オフボタンが押下された場合、ＤＶＤ再生部の方がプロジェクタ部に比較してより早くスタンバイ状態に遷移するため、インジケータが表示中であっても、液晶表示パネルにおける「ＳＥＥ  ＹＯＵ」の表示は消えてしまうことになる。従って、ユーザは、この液晶表示パネルにおける「ＳＥＥ  ＹＯＵ」の表示が消えたのを見て、プロジェクタ部においてクールダウン処理が実行中であるにもかかわらず、プロジェクタにおける全ての処理が完了したと勘違いして、プロジェクタのＡＣプラグをコンセントから抜いてしまう恐れがあり、その場合、製品の寿命を縮めてしまうという問題があった。
【０００７】
従って、本発明の目的は、上記した従来技術の問題点を解決し、プロジェクタ部においてクールダウン処理が完了するまでの間、メディア再生部においてスタンバイ状態に遷移しないプロジェクタを提供することにある。
【課題を解決するための手段】
【０００８】
上記した目的の少なくとも一部を達成するために、本発明のプロジェクタは、画像を拡大投写することが可能なプロジェクタ部と、メディアに記録された信号を再生することが可能なメディア再生部と、を備えるプロジェクタであって、
電源オフの指示が入力された場合、前記プロジェクタ部は、クールダウン処理を実行し、前記メディア再生部は、前記プロジェクタ部から前記クールダウン処理の完了の情報を取得した後に、スタンバイ状態に遷移することを要旨とする。
【０００９】
このように、本発明のプロジェクタでは、電源オフの指示が入力された場合、プロジェクタ部が、クールダウン処理を実行し、メディア再生部が、プロジェクタ部からクールダウン処理の完了の情報を取得した後に、スタンバイ状態に遷移するようにしている。
【００１０】
従って、本発明のプロジェクタによれば、プロジェクタ部においてクールダウン処理が完了するまでの間は、メディア再生部においてスタンバイ状態に遷移しないため、例えば、メディア再生部において、スタンバイ状態に遷移するまでの間、表示パネルに所定の文字を表示し、その後、スタンバイ状態に遷移したら、その文字の表示を消すように構成されていたとしても、プロジェクタ部においてクールダウン処理を実行している間は、表示パネルにおけるその文字の表示は消えることがないため、ユーザが、勘違いによりプロジェクタのＡＣプラグをコンセントから抜いてしまう恐れがない。
【００１１】
本発明のプロジェクタにおいて、前記プロジェクタ部は、クールダウン処理を完了したら、スタンバイ待機状態に遷移し、前記クールダウン処理の完了の情報を前記メディア再生部に伝えた後、所定時間経過したら、スタンバイ状態に遷移すると共に、
前記メディア再生部は、前記クールダウン処理の完了の情報を取得した後、前記所定時間経過したら、スタンバイ状態に遷移することが好ましい。
【００１２】
このように構成することにより、プロジェクタ部において、スタンバイ状態に遷移するタイミングと、メディア再生部において、スタンバイ状態に遷移するタイミングと、を一致させることができ、プロジェクタ部とメディア再生部とでほぼ完全に同期をとることができる。
【００１３】
本発明のプロジェクタにおいて、前記メディア再生部は、所定の情報を表示する表示パネルを備え、前記スタンバイ状態に遷移したら、前記表示パネルにおける表示を消すことが好ましい。
【００１４】
こうすることにより、例えば、メディア再生部において、スタンバイ状態に遷移するまでの間、表示パネルに所定の文字を表示し、その後、スタンバイ状態に遷移したら、その文字の表示を消すようにすることができる。従って、上述したとおり、プロジェクタ部においてクールダウン処理が実行している間は、表示パネルにおけるその文字の表示は消えることがないため、ユーザが、勘違いによりプロジェクタのＡＣプラグをコンセントから抜いてしまう恐れがない。
【００１５】
本発明のプロジェクタにおいて、前記プロジェクタ部は、所定の情報を表示するインジケータを備え、前記スタンバイ状態に遷移したら、前記インジケータによる表示を消すことが好ましい。
【００１６】
こうすることにより、例えば、プロジェクタ部において、クールダウン処理を実行し、スタンバイ状態に遷移するまでの間、インジケータによって、クーリング中であることを表示し、その後、スタンバイ状態に遷移したら、インジケータの表示を消して、クールダウン処理が完了したことを示すことができる。
【００１７】
なお、本発明は、上記したプロジェクタなどの装置発明の態様に限ることなく、プロジェクタの制御方法などの方法発明としての態様で実現することも可能である。
【発明を実施するための最良の形態】
【００１８】
以下、本発明の実施の形態を実施例に基づいて以下の順序で説明する。
Ａ．実施例の構成：
Ｂ．実施例の動作：
Ｃ．実施例の効果：
Ｄ．変形例：
【００１９】
Ａ．実施例の構成：
図１は本発明の一実施例としてのプロジェクタの構成を示すブロック図であり、図２は図１のプロジェクタの外観を模式的に示した斜視図である。
【００２０】
本実施例のプロジェクタ１００は、ＤＶＤ再生機能を備えたプロジェクタであって、図１に示すように、ＤＶＤ再生機能を有するＤＶＤ再生部１１０と、画像投写機能を有するプロジェクタ部１２０と、に分けて構成されている。これらＤＶＤ再生部１１０及びプロジェクタ部１２０には、それぞれ、ＡＣプラグ１３０を介して、ＡＣ電力が供給されている。
【００２１】
ＤＶＤ再生部１１０は、ＤＶＤ再生部１１０内における各種処理や各種制御を行うシステムコントローラ１１２と、ＤＶＤ再生に関わる種々の表示を行う液晶表示パネル１１４と、ＤＶＤ（図示せず）から画像信号や音声信号を再生するＤＶＤドライブ部１１６と、操作ボタンなどによってＤＶＤ再生に関わるユーザからの種々の指示を受け付ける操作部１１８と、プロジェクタ１００の電源をオン／オフするための電源スイッチ１１９と、を備えている。一方、プロジェクタ部１２０は、プロジェクタ部１２０内における各種処理や各種制御を行うシステムコントローラ１２２と、異なる色での点灯や点滅などによって画像投写に関わる種々の表示を行うインジケータ１２４と、ＤＶＤドライブ部１１６で再生された信号のうち、画像信号をアナログ信号からデジタル信号に変換するＡＤコンバータ１２６と、投写表示部１２８と、冷却部１２９と、を備えている。
【００２２】
これらのうち、システムコントローラ１１２，１２２は、共に、ＣＰＵやメモリなどから構成されており、システムコントローラ１１２，１２２は、互いに、ＵＡＲＴ（Universal Asynchronous Receiver Transmitter）を用いて情報のやり取りを行っている。また、投写表示部１２８は、画像処理回路や、光源ランプや、液晶ライトバルブや、投写レンズなどを備えており、デジタル信号に変換された画像信号に画像処理回路において種々の処理を施し、得られた画像信号に基づいて液晶ライトバルブを駆動することにより、光源ランプから出射され液晶ライトバルブを介した光を変調して画像光とし、得られた画像光を投写レンズによってスクリーン（図示せず）に拡大投写して、画像信号の表す画像を表示させる。なお、投写表示部１２８には、ＤＶＤドライブ部１１６で再生された画像信号の他、外部入力端子（図示せず）を介して、コンピュータや他のメディア再生機器からの画像信号も入力できるようになっている。また、冷却部１２９は、冷却ファンなどを備えており、投写表示部１２８における光源ランプなどを冷却する。なお、図１では、音声信号の処理系については、図示を省略した。
【００２３】
一方、図２に示すように、液晶表示パネル１１４は、プロジェクタ１００の背面において、その上部に配置されており、電源スイッチ１１９は、液晶表示パネル１１４の横に、操作部１１８は、液晶表示パネル１１４の下に、それぞれ配置されている。さらに、操作部１１８の下には、ＤＶＤドライブ部１１６にＤＶＤ（図示せず）を装着するために、そのＤＶＤを１００に挿入するための開口部１１６ａが設けられている。また、インジケータ１２４は、プロジェクタ１００の上面に配置されている。さらに、プロジェクタ１００の正面には、投写表示部１２８における投写レンズ１２８ａが設けられている。なお、図２では、ＡＣプラグ１３０については、図示を省略した。
【００２４】
Ｂ．実施例の動作：
Ｂ−１．稼働時の動作：
では、図１に示すプロジェクタ１００の動作について説明する。稼働状態では、ＤＶＤ再生部１１０において、システムコントローラ１１２が、操作部１１８からの指示に基づき、ＤＶＤドライブ部１１６を制御して、ＤＶＤドライブ部１１６にＤＶＤから画像信号等を再生させる。また、同時に、システムコントローラ１１２は、液晶表示パネル１１４にＤＶＤ再生に関わる情報を文字や記号などによって表示させる。一方、プロジェクタ部１２０において、システムコントローラ１２２は、ＡＤコンバータ１２６や投写表示部１２８を制御して、再生された画像信号をアナログ信号からデジタル信号に変換し、その画像信号に基づいて、その画像信号の表す画像を拡大投写させる。また、インジケータ１２４は、インジケータ１２４に画像投写に関わる情報を異なる色での点灯や点滅などによって表示させる。以上が、稼働状態におけるプロジェクタ１００の動作である。
【００２５】
Ｂ−２．電源オフ時の動作：
次に、本発明の特徴部分である電源オフ時の動作について、図３を用いて説明する。図３は電源オフ時におけるＤＶＤ再生部１１０及びプロジェクタ部１２０の処理動作を示すフローチャートである。
【００２６】
プロジェクタ１００の稼働状態において、ユーザにより、図１及び図２に示す電源スイッチ１１９が押され、電源スイッチ１１９からＤＶＤ再生部１１０におけるシステムコントローラ１１２に電源オフが指示されると、図３に示すように、ＤＶＤ再生部１１０において、システムコントローラ１１２は、プロジェクタ部１２０におけるシステムコントローラ１２２に、「ＰＷＲ  ＯＦＦ」という電源オフコマンドを送信する。これに対し、システムコントローラ１２２は、システムコントローラ１１２に対し、「：」という応答をシステムコントローラ１１２に返信する。
【００２７】
これにより、ＤＶＤ再生部１１０においては、システムコントローラ１１２が、まず、ＤＶＤドライブ部１１６に対し、メディア再生停止を指示し、ＤＶＤドライブ部１１６は、ＤＶＤの再生を停止する。さらに、システムコントローラ１１２は、システムコントローラ終了処理を実行し、設定情報や状態情報など必要な情報をメモリに保存する。
【００２８】
一方、プロジェクタ部１２０においては、システムコントローラ１２２が、状態を稼働状態からクールダウン状態に遷移させ、クールダウン処理を実行する。具体的には、システムコントローラ１２２は、投写表示部１２８を制御して、光源ランプを消灯させた後、冷却部１２９を制御して、投写表示部１２８における光源ランプなどを冷却させる。
【００２９】
また、このとき、ＤＶＤ再生部１１０では、システムコントローラ１１２が液晶表示パネル１１４を制御して、液晶表示パネル１１４に、クーリング中であることを示す「ＮＯＷ  ＣＯＯＬＩＮＧ」という文字を表示させ、プロジェクタ部１２０では、システムコントローラ１２２がインジケータ１２４を制御して、インジケータ１２４によって、クーリング中であることを表示させる。
【００３０】
ＤＶＤ再生部１１０において、システムコントローラ１１２は、システムコントローラ終了処理を完了すると、プロジェクタ部１２０におけるシステムコントローラ１２２に対し、「ＰＪＳＴＡＴＵＳ？」という状態取得コマンドを送信する。これに対し、システムコントローラ１２２は、現在の状態が、クールダウン処理実行中の状態であるクールダイン状態であるので、「ＰＪＳＴＡＴＵＳ＝ＸＸ」（クールダウン状態）という応答をシステムコントローラ１１２に返信する。システムコントローラ１１２は、その返信から、プロジェクタ部１２０がクールダウン状態であることを知ると、リトライ間隔として１秒間を計測した後、再度、プロジェクタ部１２０におけるシステムコントローラ１２２に対し、「ＰＪＳＴＡＴＵＳ？」という状態取得コマンドを送信する。これに対し、システムコントローラ１２２は、依然としてクールダイン状態であれば、「ＰＪＳＴＡＴＵＳ＝ＸＸ」（クールダウン状態）という応答を再度システムコントローラ１１２に返信する。以下、プロジェクタ部１２０において、クールダウン処理が完了するまで、同様の処理が繰り返される。
【００３１】
その後、プロジェクタ部１２０において、投写表示部１２８における光源ランプの温度が所定の温度以下に低下すると、システムコントローラ１２２は、クールダウン処理を終了して、状態をクールダウン状態からスタンバイ待機状態に遷移させる。そして、それ以降に、ＤＶＤ再生部１１０における再度システムコントローラ１１２から状態取得コマンドが送信されると、システムコントローラ１２２は、状態がスタンバイ待機状態に遷移したので、「ＰＪＳＴＡＴＵＳ＝ＹＹ」（スタンバイ待機状態）という応答をシステムコントローラ１１２に返信する。
【００３２】
システムコントローラ１１２は、その返信から、プロジェクタ部１２０において、スタンバイ状態に遷移したこと、すなわち、クールダウン処理が完了したことを知ると、液晶表示パネル１１４を制御して、液晶表示パネル１１４に「ＳＥＥ  ＹＯＵ」という文字を表示させる。そして、待機時間として１秒間を計測した後、状態をスタンバイ状態に遷移させると共に、液晶表示パネル１１４を制御して、液晶表示パネル１１４における表示を消す。一方、プロジェクタ部１２０におけるシステムコントローラ１２２は、返信した後、システムコントローラ１１２と同様に、待機時間として１秒間を計測した後、状態をスタンバイ状態に遷移させると共に、インジケータ１２４を制御して、インジケータ１２４による表示を消す。
以上によって、電源オフ時の動作は完了する。
【００３３】
Ｃ．実施例の効果：
以上説明したように、本実施例では、電源オフ時においては、プロジェクタ部１２０において、状態をクールダウン状態に遷移させ、クールダウン処理を実行すると共に、ＤＶＤ再生部１１０において、液晶表示パネル１１４に「ＮＯＷ  ＣＯＯＬＩＮＧ」という文字を表示させる。その後、プロジェクタ部１２０において、クールダウン処理が完了すると、状態をクールダウン状態からスタンバイ待機状態に遷移させる。そして、ＤＶＤ再生部１１０において、プロジェクタ部１２０の状態がスタンバイ状態に遷移したこと、すなわち、クールダウン処理が完了したことを知ると、液晶表示パネル１１４に「ＳＥＥ  ＹＯＵ」という文字を表示させる。そして、待機時間として１秒間を計測した後、状態をスタンバイ状態に遷移させると共に、液晶表示パネル１１４における表示を消す。従って、本実施例によれば、プロジェクタ部１２０において、クールダウン処理を実行している間は、表示パネルにおける「ＮＯＷ  ＣＯＯＬＩＮＧ」の表示は消えることがないため、ユーザが、勘違いによりプロジェクタのＡＣプラグ１３０をコンセントから抜いてしまう恐れがない。
【００３４】
また、本実施例では、ＤＶＤ再生部１１０において、プロジェクタ部１２０からの「ＰＪＳＴＡＴＵＳ＝ＹＹ」（スタンバイ待機状態）という応答を受けてから、待機時間として１秒間を計測した後、状態をスタンバイ状態に遷移させ、液晶表示パネル１１４における表示を消すようにしている。一方、プロジェクタ部１２０においても、上記応答を返信してから、待機時間として同じ１秒間を計測した後、状態をスタンバイ状態に遷移させると共に、インジケータ１２４による表示を消すようにしている。従って、本実施例によれば、ＤＶＤ再生部１１０において、スタンバイ状態に遷移するタイミングと、プロジェクタ部１２０において、スタンバイ状態に遷移するタイミングと、を一致させることができ、ＤＶＤ再生部１１０とプロジェクタ部１２０とでほぼ完全に同期をとることができると共に、液晶表示パネル１１４における表示とインジケータ１２４による表示を同時に消すことができ、ユーザに違和感を与えることがない。
【００３５】
Ｄ．変形例：
なお、本発明は上記した実施例や実施形態に限られるものではなく、その要旨を逸脱しない範囲において種々の態様にて実施することが可能である。
【００３６】
上記した実施例においては、ＤＶＤ再生機能を備えたプロジェクタを例として説明したが、本発明は、このようにメディア再生としてＤＶＤ再生に限定されるものではなく、ＶＴＲ再生や、ＣＤ再生や、ＭＤ再生や、ハードディスク再生や、メモリ再生など、種々のメディア再生に適応することができる。
【００３７】
上記した実施例では、図３に示すように、ＤＶＤ再生部１１０において、システムコントローラ終了処理は、メディア再生停止の直後に実行していたが、必ずしも直後でなくてもよく、プロジェクタ部１２０から「ＰＪＳＴＡＴＵＳ＝ＹＹ」（スタンバイ待機状態）の応答が返信されるまでの間に、完了していればよい。
【００３８】
上記した実施例では、状態取得コマンドのリトライの間隔や、スタンバイ状態に遷移する前の待機時間を、それぞれ、１秒間としたが、本発明はこれに限定されるものではなく、適当な時間であれば、それぞれ、他の値であってもよい。
【００３９】
上記した実施例では、液晶表示パネル１１４に、「ＮＯＷ  ＣＯＯＬＩＮＧ」や「ＳＥＥ  ＹＯＵ」という文字を表示したが、代わりに、他のメッセージを表示するようにしてもよい。
【図面の簡単な説明】
【００４０】
【図１】本発明の一実施例としてのプロジェクタの構成を示すブロック図である。
【図２】図１のプロジェクタの外観を模式的に示した斜視図である。
【図３】電源オフ時におけるＤＶＤ再生部１１０及びプロジェクタ部１２０の処理動作を示すフローチャートである。
【符号の説明】
【００４１】
１００...プロジェクタ
１１０...ＤＶＤ再生部
１１２...システムコントローラ
１１４...液晶表示パネル
１１６...ＤＶＤドライブ部
１１６ａ...開口部
１１８...操作部
１１９...電源スイッチ
１２０...プロジェクタ部
１２２...システムコントローラ
１２４...インジケータ
１２６...ＡＤコンバータ
１２８...投写表示部
１２８ａ...投写レンズ
１２９...冷却部
１３０...ＡＣプラグ
【図１】
2007047387.tif 000003
【図２】
2007047387.tif 000004
【図３】
2007047387.tif 000005